(57)【要約】【課題】ボール内に空気を充填して所定の空気圧となるように膨らませる際に、ボールの空気充填口に対する空気針の差し込み方向と抜き取り方向を常に垂直に維持することで、空気針の折損を確実に防止することができる空気入れ補助装置を提供する。【解決手段】本発明に係る空気入れ補助装置は、ボールを載せる台座と、台座に対して昇降自在で、台座に載せたボールを上方側から押さえる押圧部とから成り、押圧部には、ボールの空気充填口に空気針を差し込む空気針挿入用ジャケットを備えた梃子ハンドルが取り付けられると共に、この空気針挿入用ジャケットを受け入れるガイド筒を設けた。また、押圧部のガイド筒の位置にボールの空気充填口を合わせ、梃子ハンドルの空気針挿入用ジャケットをガイド筒に挿入して、ボールの空気充填口に空気針を差し込む。【選択図】図１
2008023271.tif 000002
【特許請求の範囲】
【請求項１】
ボールを載せる台座と、台座に対して昇降自在で、台座に載せたボールを上方側から押さえる押圧部とから成り、押圧部には、ボールの空気充填口に空気針を差し込む空気針挿入用ジャケットを備えた梃子ハンドルが取り付けられると共に、この空気針挿入用ジャケットを受け入れるガイド筒を設けたことを特徴とする空気入れ補助装置。
【請求項２】
押圧部のガイド筒の位置にボールの空気充填口を合わせ、梃子ハンドルの空気針挿入用ジャケットをガイド筒に挿入して、ボールの空気充填口に空気針を差し込む請求項１に記載の空気入れ補助装置。
【請求項３】
押圧部は、台座に取り付けた３本の支柱を介して昇降自在である請求項１または２に記載の空気入れ補助装置。
【請求項４】
梃子ハンドルは、その先端部が押圧部に軸止され、基端部が把持部となっている請求項１または２に記載の空気入れ補助装置。
【請求項５】
梃子ハンドルは、その中程に空気針挿入用ジャケットを備えている請求項１または２、請求項４のいずれかに記載の空気入れ補助装置。
【請求項６】
梃子ハンドルの空気針挿入用ジャケットは、前後方向に移動自在・回動自在である請求項１または２、請求項５のいずれかに記載の空気入れ補助装置。
【請求項７】
ボールを載せる台座と、台座に載せたボールを上方側から押さえる押圧部のそれぞれには、ボールの球面に対応した湾曲保持面部が形成されている請求項１に記載の空気入れ補助装置。
【発明の詳細な説明】
【技術分野】
【０００１】
本発明は、例えば、バスケット・ドッジボール・バレー等のスポーツに使用する各種のボール類に、エアーポンプで空気を充填するときに使用する空気入れ補助装置に関するものである。
【背景技術】
【０００２】
従来において、例えば、バスケット・ドッジボール・バレー等のスポーツに使用するボール類にエアーポンプを使用して空気を充填する場合、当該エアーポンプのホースの先端に取り付けられている空気針をボールの空気充填口に手作業で差し込み、エアーポンプを作動させてボール内に空気を充填し、所定の空気圧となるようにボール膨らませていた。
【０００３】
このとき、空気針は、ボールの空気充填口に垂直に差し込まれるのが好ましいものである。
【特許文献１】特になし
【発明の開示】
【発明が解決しようとする課題】
【０００４】
しかしながら、従来においては、ホースの先端の空気針をボールの空気充填口に手作業で差し込むため、空気針の差し込み方向を誤り易く、空気針が空気充填口に対して垂直でない状態となって、空気針が簡単に折れてしまう事態が生じていた。
【０００５】
さらに、ボールが球形であることから手で押さえ難く、動き易いため、ボールの空気充填口に空気針を垂直に差し込むのに時間と労力を要していた。
【０００６】
また、ボールの空気充填口から空気針を抜き取る場合においても、抜き取りの方向が垂直でない方に少しでもズレると、無理な力が空気針の側面に掛かってしまい、空気針が簡単に折れてしまう事態が生じていた。
【０００７】
そこで、本発明は如上のような従来存した諸事情に鑑み創出されたもので、ボール内に空気を充填して所定の空気圧となるように膨らませる際に、ボールの空気充填口に対する空気針の差し込み方向と抜き取り方向を常に垂直に維持することで、空気針の折損を確実に防止することができる空気入れ補助装置を提供することを目的とする。
【課題を解決するための手段】
【０００８】
本発明に係る空気入れ補助装置は、ボールを載せる台座と、台座に対して昇降自在で、台座に載せたボールを上方側から押さえる押圧部とから成り、押圧部には、ボールの空気充填口に空気針を差し込む空気針挿入用ジャケットを備えた梃子ハンドルが取り付けられると共に、この空気針挿入用ジャケットを受け入れるガイド筒を設けたことで、上述した課題を解決した。
【０００９】
また、押圧部のガイド筒の位置にボールの空気充填口を合わせ、梃子ハンドルの空気針挿入用ジャケットをガイド筒に挿入して、ボールの空気充填口に空気針を差し込むことで、同じく上述した課題を解決した。
【００１０】
さらに、押圧部は、台座に取り付けた３本の支柱を介して昇降自在であることで、同じく上述した課題を解決した。
【００１１】
また、梃子ハンドルは、その先端部が押圧部に軸止され、基端部が把持部となっていることで、同じく上述した課題を解決した。
【００１２】
加えて、梃子ハンドルは、その中程に空気針挿入用ジャケットを備えていることで、同じく上述した課題を解決した。
【００１３】
また、梃子ハンドルの空気針挿入用ジャケットは、前後方向に移動自在・回動自在であることで、同じく上述した課題を解決した。
【００１４】
この他、ボールを載せる台座と、台座に載せたボールを上方側から押さえる押圧部のそれぞれには、ボールの球面に対応した湾曲保持面部が形成されていることで、同じく上述した課題を解決した。
【発明の効果】
【００１５】
本発明に係る空気入れ補助装置は、ボールを載せる台座と、台座に対して昇降自在で、台座に載せたボールを上方側から押さえる押圧部とから成り、押圧部には、ボールの空気充填口に空気針を差し込む空気針挿入用ジャケットを備えた梃子ハンドルが取り付けられると共に、この空気針挿入用ジャケットを受け入れるガイド筒を設けたことか、ボールの空気充填口に対する空気針の差し込み方向と抜き取り方向を常に垂直に維持し、エアーポンプのホースに取り付けた空気針の折損を確実に防止することができる。
【００１６】
具体的には、ボールを載せる台座と、台座に対して昇降自在で、台座に載せたボールを上方側から押さえる押圧部とから成るため、台座の上にボールを安定した状態で保持し、ボールの空気充填口に対する空気針の差し込み方向と抜き取り方向を常に垂直に維持することができる。
【００１７】
また、押圧部には、ボールの空気充填口に空気針を差し込む空気針挿入用ジャケットを備えた梃子ハンドルが取り付けられていることから、僅かな力で、ボールの空気充填口に空気針を差し込むことができる。
【００１８】
さらに、押圧部には、空気針挿入用ジャケットを受け入れるガイド筒を設けたことから、梃子ハンドルの空気針挿入用ジャケットをガイド筒に挿入するという簡単な操作により、ボールの空気充填口に空気針を垂直に差し込むことができる。
【００１９】
すなわち、押圧部のガイド筒の位置にボールの空気充填口を合わせ、梃子ハンドルの空気針挿入用ジャケットをガイド筒に挿入して、ボールの空気充填口に空気針を垂直に差し込むのである。
【００２０】
また、押圧部は、台座に取り付けた３本の支柱を介して昇降自在であることから、押圧部の安定した昇降状態を維持することができる。
【００２１】
加えて、梃子ハンドルは、その先端部が押圧部に軸止され、基端部が把持部となっていることから、把持部を手で持って梃子ハンドルの基端部を上下に簡単に動かすことができる。
【００２２】
このとき、梃子ハンドルの中程に空気針挿入用ジャケットを備えているので、把持部を手で持って梃子ハンドルの基端部を上下に動かすだけで、ボールの空気充填口に空気針を垂直に差し込んだり、また、ボールの空気充填口から空気針を垂直に引き抜くことができる。
【００２３】
この他、梃子ハンドルの空気針挿入用ジャケットは、前後方向に移動自在・回動自在であるので、必要に応じて空気針挿入用ジャケットを移動・回動させて、ボールの空気充填口に空気針を常に垂直に差し込むことができる。
【００２４】
さらに、ボールを載せる台座と、台座に載せたボールを上方側から押さえる押圧部のそれぞれには、ボールの球面に対応した湾曲保持面部が形成されているので、台座と押圧部により球形のボールを安定した状態で確実に保持して、ボールの空気充填口に空気針を正確に差し込むことができる。
【００２５】
このように、本発明に係る空気入れ補助装置を使用すれば、ボールに空気を入れる作業を誰もが簡単に行うことができ、しかも、空気針の折損も確実に防止することができるのである。
【発明を実施するための最良の形態】
【００２６】
以下に、本発明を実施するための最良の形態を、図面を参照して説明する。
【００２７】
本発明に係る空気入れ補助装置は、例えば、バスケット・ドッジボール・バレー等のスポーツに使用する各種のボールＰ類に、エアーポンプで空気を充填するときに使用するものである。
【００２８】
具体的には、ボールＰを載せる台座１と、台座１に対して昇降自在で、台座１に載せたボールＰを上方側から押さえる押圧部４とから成り、押圧部４には、ボールＰの空気充填口Ｐ１に空気針１０ａを差し込む空気針挿入用ジャケット１０を備えた梃子ハンドル８が取り付けられると共に、この空気針挿入用ジャケット１０を受け入れるガイド７筒を設けている。
【００２９】
そして、押圧部４のガイド筒７の位置にボールＰの空気充填口Ｐ１を合わせ、梃子ハンドル８の空気針挿入用ジャケット１０をガイド筒７に挿入して、ボールＰの空気充填口Ｐ１に空気針１０ａを垂直に差し込むものである。
【００３０】
この空気入れ補助装置は、図１に示すように、略正方形の板面により構成された台座１を備えている。この台座１の上面の略中央寄りには、図５（ａ）（ｂ）に示すように、ボールＰを載せるために、下方に窪んだ湾曲保持面部２が形成されている。この湾曲保持面部２は、ボールＰの球面に対応した曲率を有し、且つ中央には円孔２ａが穿設されている。
【００３１】
そして、台座１の下面における四隅には、図１・図５（ｂ）に示すように、ストッパーゴム付の脚部１ａが取り付けられている。これらの脚部１ａは、台座１の四隅の一つを除いて、図１・図３に示すように、当該脚部１ａの上端に形成された若干長目のネジ部を、台座１の取付孔に下方から挿入して台座１に脚部１ａを配置している。
【００３２】
そして、図３に示すように、台座１の上側に突出したネジ部の位置に、支柱３を取り付けている。具体的には、支柱３の下端にネジ孔を設け、この支柱３を回転させて支柱３のネジ孔を台座１の上側に突出しているネジ部に螺合させることで、３本の支柱３が台座１の３つの角部で互いに平行となるように立設している。          このような構成により、台座１における支柱３の存在しない方向からボールＰを入れ、台座１の湾曲保持面部２の上にボールＰを載せるのである。
【００３３】
また、台座１における支柱３の存在しない角部には、図１に示すように、ネジ孔が形成され、脚部１ａの上端に形成された若干短か目のネジ部を、このネジ孔に下方から捻じ込んで台座１に脚部１ａを固定している。
【００３４】
さらに、３本の支柱３には、図１・図３に示すように、押圧部４が昇降自在に取り付けられている。この押圧部４は、台座１の湾曲保持面部２の上に載せたボールＰを上方側から押さえるものである。
【００３５】
この押圧部４は、４つのアーム４ａ，４ｂ，４ｃ，４ｄを有し、全体で４本の腕を放射状に突出させた略人手形状に形成されている。
【００３６】
すなわち、図６に示すように、押圧部４を形成している３つのアーム４ａ，４ｂ，４ｃの先端部に挿通孔５を設け、これらの各挿通孔５に３本の支柱３をそれぞれ挿通させている。
【００３７】
また、図３・図４に示すように、押圧部４を形成している１つのアーム４ｄ側には、ボールＰの球面に対応した曲率を有する湾曲保持面部６が形成されている。そして、湾曲保持面部６における略中央には、ボールＰの空気充填口Ｐ１に合致するガイド筒７が設けられている。
【００３８】
この他、図１・図２・図３に示すように、押圧部４において、湾曲保持面部６が形成されているアーム４ｄと反対側に位置するアーム４ｂには、梃子ハンドル８が取り付けられている。
【００３９】
この梃子ハンドル８は、全体で略へ字型となるように屈曲形成され、その先端部がヒンジ部９を介してアーム４ｂに軸止されている。また、基端部が把持部８ａとなっている。さらに、梃子ハンドル８の中程に、空気針挿入用ジャケット１０を備えている。
【００４０】
さらに、図１・図２に示すように、梃子ハンドル８の屈曲部分には、押圧部４のガイド筒７に対向するように、方形状の開口枠部１３が形成されている。そして、この開口枠部１３に、下端に空気針１０ａを備えた空気針挿入用ジャケット１０が取り付けられている。この空気針挿入用ジャケット１０の上端には、エアーポンプからの給気パイプＱが接続されている。
【００４１】
また、空気針挿入用ジャケット１０は、開口枠部１３において、前後方向に移動自在・回動自在となるように取り付けられている。
【００４２】
すなわち、図１・図２・図４に示すように、開口枠部１３における左右に対向する壁面に横長の長円孔１１を形成し、空気針挿入用ジャケット１０の左右側面に設けた突起１２のそれぞれを各長円孔１１に挿入する。そして、突起１２の先端に長円孔１１の幅よりも大きいネジを取り付けて、空気針挿入用ジャケット１０を開口枠部１３に配置する。その結果、空気針挿入用ジャケット１０は、開口枠部１３において、前後方向に移動自在・回動自在となる。
【００４３】
次に、以上のように構成された本発明に係る空気入れ補助装置について、使用・動作の一例を説明する。
【００４４】
先ず、図１に示すように、押圧部４を上昇させ、台座１における支柱３の存在しない方向からボールＰを入れ、台座１の湾曲保持面部２の上にボールＰを載せる。このとき、ボールＰの空気充填口Ｐ１が上方に位置するようにする。
【００４５】
次に、押圧部４を降ろし、図１に示すように、押圧部４の湾曲保持面部６をボールＰの上側の球面に当接させる。このとき、図４に示すように、押圧部４のガイド筒７の下端とボールＰの空気充填口Ｐ１が合致するように、ボールＰの位置を調整する。
【００４６】
その後、図４に示すように、梃子ハンドル８の把持部８ａを手で持って、把持部８ａが上方に位置する状態から、図３に示すように、把持部８ａを押し下げる。
この過程において、空気針挿入用ジャケット１０は、空気針１０ａが常に下向きになり、ボールＰの空気充填口Ｐ１に対して垂直となった姿勢を維持する。
【００４７】
そして、図３に示すように、把持部８ａを押し下げて、梃子ハンドル８の空気針挿入用ジャケット１０を、押圧部４のガイド筒７に挿入する。このとき、押圧部４のガイド筒７の下端とボールＰの空気充填口Ｐ１が合致していることから、図３・図６に示すように、空気針挿入用ジャケット１０に取り付けた空気針１０ａが、ボールＰの空気充填口Ｐ１に垂直に差し込まれる。
【００４８】
一方、空気充填後に、ボールＰの空気充填口Ｐ１から空気針１０ａを抜き取る場合には、梃子ハンドル８の把持部８ａを手で持って引き上げる。すると、空気針挿入用ジャケット１０は、押圧部４のガイド筒７から上方に引き抜かれる。これと同時に、空気針１０ａが、ボールＰの空気充填口Ｐ１に対して常に垂直となった姿勢を維持しながら、ボールＰの空気充填口Ｐ１から抜かれる。
【産業上の利用可能性】
【００４９】
本発明に係る空気入れ補助装置は、バスケット・ドッジボール・バレー等のスポーツに使用する各種のボール類を所定の圧力となるように膨らませるために使用する他に、エアーポンプを使用して空気を充填するためのエアー充填装置として、幅広く利用されるものである。
【図面の簡単な説明】
【００５０】
【図１】空気入れ補助装置の使用状態の一例を示す斜視図である。
【図２】空気入れ補助装置の使用状態の一例を示す平面図である。
【図３】図２におけるＡ−Ａ線断面図であり、押圧部のガイド筒の下端とボールの空気充填口が合致した状態において、梃子ハンドルの把持部を押し下げ、針挿入用ジャケットを押圧部のガイド筒に挿入し、ボールの空気充填口に対して空気針を垂直に差し込んだ状態を示すものである。
【図４】押圧部のガイド筒の下端とボールの空気充填口が合致した状態において、梃子ハンドルの把持部を押し下げ、針挿入用ジャケットを押圧部のガイド筒に挿入する状態を示す側面図である。
【図５】台座の構成を示し、（ａ）は台座の平面図、（ｂ）は脚部を備えた台座の側面図である。
【図６】針挿入用ジャケットを挿入するガイド筒を備えた押圧部の構成を示す平面図である。
【符号の説明】
【００５１】
Ｐ…ボール
Ｐ１…空気充填口
Ｑ…給気パイプ
１…台座
１ａ…脚部
２…湾曲保持面部
２ａ…円孔
３…支柱
４…押圧部
４ａ，４ｂ，４ｃ，４ｄ…アーム
５…挿通孔
６…湾曲保持面部
７…ガイド筒
８…梃子ハンドル
８ａ…把持部
９…ヒンジ部
１０…空気針挿入用ジャケット
１０ａ…空気針
１１…長円孔
１２…突起
１３…開口枠部
【図１】
2008023271.tif 000003
【図２】
2008023271.tif 000004
【図３】
2008023271.tif 000005
【図４】
2008023271.tif 000006
【図５】
2008023271.tif 000007
【図６】
2008023271.tif 000008